(57)【要約】      （修正有）【課題】モバイル電子デバイスにおける電力消費を低減する方法及び装置を提供する。【解決手段】モバイル電子デバイス１００は、モバイル電子デバイス内のバッテリの電力レベルを監視し、バッテリの電力レベルが予め決められた閾値に達したことを判断し、当該判断に基づいて、モバイル電子デバイス上で現在実行中の第１のランチャを終了し、モバイル電子デバイス上で第２のランチャをアクティブ化する。省電力機構を有する第２のランチャをアクティブ化することによって、モバイル電子デバイスの消費電力は低減され、従って、モバイルデバイスの複数の基本的な機能は保たれつつバッテリ寿命は伸ばされる。【選択図】図２
2018201241.tif 000002
【特許請求の範囲】
【請求項１】
モバイル電子デバイスを動作させる方法であって、
前記モバイル電子デバイスによって、前記モバイル電子デバイスに電力供給するバッテリの電力レベルを監視する段階と、
前記モバイル電子デバイスによって、前記バッテリの前記電力レベルがバッテリ電力レベル閾値に達したと判断する段階と、
前記判断がされると、
前記モバイル電子デバイスによって、前記モバイル電子デバイス上の１又は複数の第１のアプリケーションを無効にする段階であって、１又は複数の第２のアプリケーションは有効にされたままである、段階と、
前記モバイル電子デバイスの画面がオンのとき、前記モバイル電子デバイスによって、前記画面上の前記無効にされた１又は複数の第１のアプリケーションの各アイコンの表示を無効にする段階とを備える
方法。
【請求項２】
前記判断がされると、前記モバイル電子デバイスにおいて１又は複数のハードウェア機能を無効にする段階であって、前記１又は複数の第１のアプリケーションの各々は、前記１又は複数のハードウェア機能のうちの少なくとも１つを使用する、段階を更に備える
請求項１に記載の方法。
【請求項３】
前記ハードウェア機能は、Ｂｌｕｅｔｏｏｔｈ（登録商標）及びＷｉ−Ｆｉを含む、
請求項２に記載の方法。
【請求項４】
前記１又は複数の第２のアプリケーションは、音声通信機能及びテキストメッセージング機能を備える、
請求項１に記載の方法。
【請求項５】
前記判断がされると、それぞれ前記音声通信機能及び前記テキストメッセージング機能に対応する、音声通信アイコン及びテキストメッセージングアイコンを前記画面上に表示する段階を更に備える
請求項４に記載の方法。
【請求項６】
前記１又は複数の第１のアプリケーションを無効にする段階は、音楽プレーヤアプリケーション、ビデオプレーヤアプリケーション、カメラアプリケーション、及びフォトギャラリーアプリケーションのうちの２又はそれより多くを無効にする段階を備える、
請求項１に記載の方法。
【請求項７】
前記１又は複数の第１のアプリケーションを無効にする段階は、音楽プレーヤアプリケーション、ビデオプレーヤアプリケーション、カメラアプリケーション、及びフォトギャラリーアプリケーションを無効にする段階を備える、
請求項１に記載の方法。
【請求項８】
前記各アイコンの表示を無効にする段階は、音楽プレーヤアプリケーションアイコン、ビデオプレーヤアプリケーションアイコン、カメラアプリケーションアイコン、及びフォトギャラリーアプリケーションアイコンを表示しない段階を備える、
請求項７に記載の方法。
【請求項９】
前記１又は複数の第１のアプリケーションを無効にする段階は、ソーシャルネットワーキングアプリケーションを無効にする段階を備える、
請求項７に記載の方法。
【請求項１０】
前記１又は複数の第１のアプリケーションを無効にする段階は、インターネットブラウザアプリケーションを無効にする段階を備える、
請求項７に記載の方法。
【請求項１１】
前記判断がされると、前記画面の１又は複数の表示特性を低下させる段階を更に備える
請求項１に記載の方法。
【請求項１２】
前記１又は複数の表示特性を低下させる段階は、画面輝度、画面のタイムアウト、リフレッシュレート、及び画面解像度のうちの１又は複数を下げる段階を備える、
請求項１１に記載の方法。
【請求項１３】
前記１又は複数の表示特性を低下させる段階は、前記モバイル電子デバイスの前記画面上のグラフィックス効果を低下させる段階を備える、
請求項１１に記載の方法。
【請求項１４】
前記グラフィックス効果を低下させる段階は、スクロール、回転、及びアニメーションのうちの１又は複数を無効にする段階を備える
請求項１３に記載の方法。
【請求項１５】
前記判断がされると、前記モバイル電子デバイス内の中央演算処理装置（ＣＰＵ）の性能を低下させる段階を更に備える
請求項１に記載の方法。
【請求項１６】
前記ＣＰＵの性能を低下させる段階は、前記ＣＰＵのＣＰＵ周波数をスケールダウンする段階を備える
請求項１５に記載の方法。
【請求項１７】
前記ＣＰＵの性能を低下させる段階は、前記ＣＰＵのコアを無効にする段階を備える
請求項１５に記載の方法。
【請求項１８】
前記判断がされると、前記モバイル電子デバイス内のグラフィックス処理装置（ＧＰＵ）の性能を低下させる段階を更に備える
請求項１に記載の方法。
【請求項１９】
前記ＧＰＵの性能を低下させる段階は、前記ＧＰＵをパワーダウンさせる段階を備える
請求項１８に記載の方法。
【請求項２０】
前記ＧＰＵの性能を低下させる段階は、前記ＧＰＵのＧＰＵ周波数を下げる段階を備える
請求項１８に記載の方法。
【請求項２１】
前記判断がされると、前記モバイル電子デバイス内の無線モデムの無線モードを下げる段階を更に備える
請求項１に記載の方法。
【請求項２２】
前記判断がされると、前記画面上の通知を無効にする段階であって、バッテリレベル通知、受信信号強度指標通知、及びクロック通知は前記画面上において有効にされたままである、段階を更に備える
請求項１に記載の方法。
【請求項２３】
前記判断がされると、外部ストレージ、追加のスピーカ、及び外部発光ダイオード（ＬＥＤ）のうちの１又は複数を無効にする段階を更に備える
請求項１に記載の方法。
【請求項２４】
前記バッテリ電力レベル閾値は、前記モバイル電子デバイスのユーザによって設定される、
請求項１に記載の方法。
【請求項２５】
前記バッテリ電力レベル閾値は、前記モバイル電子デバイスの製造者によって設定される、
請求項１に記載の方法。
【請求項２６】
前記バッテリ電力レベル閾値は、前記バッテリの全電力レベルの２０％に設定される
請求項１に記載の方法。
【請求項２７】
前記判断の後、
前記バッテリの第２の電力レベルが前記バッテリ電力レベル閾値を超えていることを検出する段階と、
前記モバイル電子デバイスの通常動作モードを有効にし、それによりフルユーザエクスペリエンスを提供する段階とを更に備える
請求項１に記載の方法。
【請求項２８】
前記判断がされると、
前記モバイル電子デバイス上で実行中の第１のランチャを終了する段階であって、前記第１のランチャは、フルユーザエクスペリエンスのアプリケーションの各々を開始すべく、前記画面上にフルユーザエクスペリエンスのアイコンを提示する、段階と、
前記モバイル電子デバイス上で第２のランチャをアクティブ化する段階であって、前記第２のランチャは、低減したユーザエクスペリエンスのアプリケーションの各々を開始すべく、前記画面上に低減したユーザエクスペリエンスのアイコンを提示する、段階とを更に備える
請求項１に記載の方法。
【請求項２９】
前記モバイル電子デバイスは、スマートフォン又はタブレットデバイスである、
請求項１に記載の方法。
【請求項３０】
モバイル電子デバイスを動作させる方法であって、
前記モバイル電子デバイスによって、前記モバイル電子デバイスに電力供給するバッテリの電力レベルを監視する段階と、
前記モバイル電子デバイスによって、前記バッテリの前記電力レベルがバッテリ電力レベル閾値に達したと判断する段階と、
前記モバイル電子デバイスによって、前記判断に従って省電力モードに入る段階とを備え、前記省電力モードに入る段階は、
前記モバイル電子デバイスによって、前記モバイル電子デバイス上の１又は複数のアプリケーションを無効にする段階であって、音声通信機能及びテキストメッセージング機能は有効にされたままである、段階と、
前記モバイル電子デバイスによって、前記モバイル電子デバイスの画面上に、前記無効にされた１又は複数のアプリケーションの各アプリケーションアイコンを表示せず、前記音声通信機能に対応する音声通信アイコンと、前記テキストメッセージング機能に対応するテキストメッセージングアイコンとを表示する段階と、
前記モバイル電子デバイスによって、前記画面の１又は複数の表示特性を低下させる段階とを備える、
方法。
【請求項３１】
前記省電力モードに入る段階は、前記モバイル電子デバイス内の１又は複数のハードウェア機能を無効にする段階であって、前記１又は複数のアプリケーションの各々は、前記１又は複数のハードウェア機能のうちの少なくとも１つを使用する、段階を更に備える、
請求項３０に記載の方法。
【請求項３２】
前記ハードウェア機能は、Ｂｌｕｅｔｏｏｔｈ（登録商標）及びＷｉ−Ｆｉを含む、
請求項３１に記載の方法。
【請求項３３】
前記１又は複数のアプリケーションを無効にする段階は、音楽プレーヤアプリケーション、ビデオプレーヤアプリケーション、カメラアプリケーション、及びフォトギャラリーアプリケーションを無効にする段階を含み、
前記無効にされた１又は複数のアプリケーションの前記各アプリケーションアイコンを表示しないことは、前記画面上に、音楽プレーヤアプリケーションアイコン、ビデオプレーヤアプリケーションアイコン、カメラアプリケーションアイコン、及びフォトギャラリーアプリケーションアイコンを表示しないことを含む、
請求項３０に記載の方法。
【請求項３４】
前記１又は複数の表示特性を低下させる段階は、
前記モバイル電子デバイスの前記画面上のグラフィックス効果を低下させる段階と、
画面のタイムアウトを短くする段階とを含む、
請求項３０に記載の方法。
【請求項３５】
前記１又は複数の表示特性を低下させる段階は、前記画面の輝度を下げる段階を含む、
請求項３４に記載の方法。
【請求項３６】
前記省電力モードに入る段階は、
Ｂｌｕｅｔｏｏｔｈ（登録商標）及びＷｉ−Ｆｉを無効にする段階と、
前記画面上の複数の通知を無効にする段階であって、バッテリレベル通知、受信信号強度指標通知、及びクロック通知は前記画面上で有効にされたままである、段階とを更に備える
請求項３０に記載の方法。
【請求項３７】
前記省電力モードに入る段階は、
中央演算処理装置（ＣＰＵ）のコアを無効にする段階と、
前記ＣＰＵのＣＰＵ周波数をスケールダウンする段階とを更に備える、
請求項３０に記載の方法。
【請求項３８】
前記省電力モードに入る段階は、前記モバイル電子デバイスのグラフィックス処理装置（ＧＰＵ）の性能を低下させる段階を更に備える、
請求項３０に記載の方法。
【請求項３９】
前記ＧＰＵの性能を低下させる段階は、前記ＧＰＵをパワーダウンさせる段階を含む、
請求項３８に記載の方法。
【請求項４０】
前記ＧＰＵの性能を低下させる段階は、前記ＧＰＵのＧＰＵ周波数を下げる段階を含む、
請求項３８に記載の方法。
【請求項４１】
前記省電力モードに入る段階は、前記モバイル電子デバイス内の無線モデムの無線モードを下げる段階を更に備える、
請求項３０に記載の方法。
【請求項４２】
前記バッテリ電力レベル閾値は、前記モバイル電子デバイスのユーザによって設定される
請求項３０に記載の方法。
【請求項４３】
前記バッテリ電力レベル閾値は、前記モバイル電子デバイスの製造者によって設定される、
請求項３０に記載の方法。
【請求項４４】
前記バッテリ電力レベル閾値は、前記バッテリの全電力レベルの２０％に設定される、
請求項３０に記載の方法。
【請求項４５】
モバイル電子デバイスであって、
画面と、
プロセッサと、
前記プロセッサによる実行のためのプログラミングを格納する非一時的コンピュータ可読記憶媒体とを備え、
前記プログラミングは、
前記モバイル電子デバイスに電力供給するバッテリの電力レベルを監視し、
前記バッテリの前記電力レベルがバッテリ電力レベル閾値に達したと判断し、
前記バッテリの前記電力レベルがバッテリ電力レベル閾値に達したという判断に従って、省電力モードに入るための命令を含み、
前記省電力モードに入るための前記命令は、
音声通信機能及びテキストメッセージング機能は有効にされたまま、前記モバイル電子デバイス上の１又は複数のアプリケーションを無効にし、
前記モバイル電子デバイスの前記画面上に、前記無効にされた１又は複数のアプリケーションの各アプリケーションアイコンを表示せず、前記音声通信機能に対応する音声通信アイコンと、前記テキストメッセージング機能に対応するテキストメッセージングアイコンとを表示し、
前記画面の１又は複数の表示特性を低下させる命令を有する、
モバイル電子デバイス。
【請求項４６】
モバイル電子デバイスであって、
画面と、
非一時的コンピュータ可読メモリと、
前記メモリに連結されたプロセッサとを備え、前記プロセッサは、
前記モバイル電子デバイスに電力供給するバッテリの電力レベルを監視し、
前記バッテリの前記電力レベルがバッテリ電力レベル閾値に達したと判断し、
前記バッテリの前記電力レベルが前記バッテリ電力レベル閾値に達したという判断に従って、省電力モードに入るよう構成され、
前記省電力モードに入るよう構成されたプロセッサは、
音声通信機能及びテキストメッセージング機能は有効にされたまま、前記モバイル電子デバイス上の１又は複数のアプリケーションを無効にし、
前記モバイル電子デバイスの前記画面上に、前記無効にされた１又は複数のアプリケーションの各アプリケーションアイコンを表示せず、前記音声通信機能に対応する音声通信アイコンと、前記テキストメッセージング機能に対応するテキストメッセージングアイコンとを表示し、
前記画面の１又は複数の表示特性を低下させるよう構成された前記プロセッサを含む、
モバイル電子デバイス。
【請求項４７】
モバイル電子デバイスを動作させる方法であって、前記方法は、
前記モバイル電子デバイスによって、省電力モードに入るための指標を受信する段階と、
前記モバイル電子デバイスによって、前記受信する段階に従って前記省電力モードに入る段階とを備え、前記省電力モードに入る段階は、
前記モバイル電子デバイスによって、前記モバイル電子デバイス上の１又は複数のアプリケーションを無効にする段階であって、音声通信機能及びテキストメッセージング機能は有効にされたままである、段階と、
前記モバイル電子デバイスによって、前記モバイル電子デバイスの画面上に、前記無効にされた１又は複数のアプリケーションの各アプリケーションアイコンを表示せず、前記音声通信機能に対応する音声通信アイコンと、前記テキストメッセージング機能に対応するテキストメッセージングアイコンとを表示する段階と、
前記モバイル電子デバイスによって、前記画面の１又は複数の表示特性を低下させる段階とを備える、
方法。
【請求項４８】
前記１又は複数の表示特性を低下させる段階は、
画面輝度を下げる段階と、
画面のリフレッシュレートを下げる段階と、
アニメーション効果、スクロール効果、及び回転効果を低下させる段階とを含み、
省電力モードに入る段階は、
前記モバイル電子デバイス内の中央演算処理装置（ＣＰＵ）のコアを無効にする段階と、
前記ＣＰＵのＣＰＵ周波数をスケールダウンする段階と、
前記モバイル電子デバイス内の１又は複数のハードウェア機能を無効にする段階であって、前記１又は複数のアプリケーションの各々は、前記１又は複数のハードウェア機能のうちの少なくとも１つを使用する、段階とを更に備える、
請求項４７に記載の方法。
【請求項４９】
前記ハードウェア機能は、Ｂｌｕｅｔｏｏｔｈ（登録商標）及びＷｉ−Ｆｉを含む、
請求項４８に記載の方法。
【発明の詳細な説明】
【技術分野】
【０００１】
本出願は、「Ｍｅｔｈｏｄ  ａｎｄ  Ａｐｐａｒａｔｕｓ  ｆｏｒ  Ｒｅｄｕｃｉｎｇ  Ｐｏｗｅｒ  Ｃｏｎｓｕｍｐｔｉｏｎ  ｉｎ  ａ  Ｍｏｂｉｌｅ  Ｅｌｅｃｔｒｏｎｉｃ  Ｄｅｖｉｃｅ」と題する２０１４年７月１１日に出願された米国非仮出願第１４／３２９，６６３号、「ＭＥＴＨＯＤ  ＡＮＤ  ＡＰＰＡＲＡＴＵＳ  ＦＯＲ  ＲＥＤＵＣＩＮＧ  ＰＯＷＥＲ  ＣＯＮＳＵＭＰＴＩＯＮ  ＩＮ  Ａ  ＭＯＢＩＬＥ  ＥＬＥＣＴＲＯＮＩＣ  ＤＥＶＩＣＥ」と題する２０１４年４月２日に出願された米国特許出願番号第１４／２４３，６７３号、及び「ＭＥＴＨＯＤ  ＡＮＤ  ＡＰＰＡＲＡＴＵＳ  ＦＯＲ  ＲＥＤＵＣＩＮＧ  ＰＯＷＥＲ  ＣＯＮＳＵＭＰＴＩＯＮ  ＩＮ  Ａ  ＭＯＢＩＬＥ  ＥＬＥＣＴＲＯＮＩＣ  ＤＥＶＩＣＥ」と題する２０１３年１２月２０日に出願された米国特許出願番号第１４／１３７，４９０号に対する優先権を主張し、それらの出願の全てが、これにより、参照によって本明細書に組み込まれる。
【０００２】
本発明は、概してモバイル電子デバイスに関し、より具体的には、モバイル電子デバイスにおける電力消費を低減する方法及び装置に関する。
【背景技術】
【０００３】
市場に出回っているスマートフォン及びタブレットコンピュータなどの現在のモバイル電子デバイスは、そのようなデバイスによって提供される強化された通信機能及びより複雑なアプリケーションが原因で、前世代のスマートフォン及びフィーチャーフォンと比較して著しく低下したバッテリ寿命に悩まされている。最新の電話は、様々なデータ駆動型機能によってより豊富でより楽しい体験をエンドユーザに提供するが、ごく基本的な通話機能を使用する顧客の能力は、充電サイクルの間の短縮されたバッテリ寿命が原因で大幅に低減された。このことは、バッテリが枯渇レベル近くに達するとき、ユーザはもはや基本的な音声通話をかけることができないという多数の状況を引き起こす。
【０００４】
バッテリ寿命を伸ばすべく、ユーザは機能を手動で切って電力を節約できる。例えば、ユーザは、Ｂｌｕｅｔｏｏｔｈ（登録商標）、Ｗｉ−Ｆｉ、並びにバイブレータ及びキートーン等を切ることができる。ユーザは、また、画面輝度を下げる、より短かい画面のタイムアウトを設定する等を行うことができる。
【発明の概要】
【０００５】
本発明の実施形態は、上記不足点、及びモバイルデバイスの省電力化に関連付けられる他の課題に対処するために、モバイルデバイスにおける電力消費を低減するための方法及び装置を提供する。
【０００６】
本発明の一実施形態は、モバイル電子デバイスの電力消費を低減する方法を提供する。当該方法は、モバイル電子デバイス内のバッテリの電力レベルを監視する段階、バッテリの電力レベルが予め決められた閾値に達したと判断する段階、及び、当該判断に基づいて、モバイル電子デバイス上で現在実行中の第１のランチャを終了して、モバイル電子デバイス上で第２のランチャをアクティブ化する段階を含む。
【０００７】
本発明の別の実施形態は、モバイル電子デバイスの電力消費を低減するための装置を提供する。当該装置は、メモリと、メモリに連結された１又は複数のプロセッサとを含み、当該プロセッサは、モバイル電子デバイス内のバッテリの電力レベルを監視し、バッテリの電力レベルが予め決められた閾値に達したと判断し、当該判断に基づいて、モバイル電子デバイスで現在実行中の第１のランチャを終了し、モバイル電子デバイス上で第２のランチャをアクティブ化するよう構成される。
【０００８】
少なくともいくつかの実施形態において、第１のランチャは、フルユーザエクスペリエンス（ｆｕｌｌ  ｕｓｅｒ  ｅｘｐｅｒｉｅｎｃｅ）ランチャであってよく、それとは対照的に、第２のランチャは、低減したユーザエクスペリエンス（ｒｅｄｕｃｅｄ  ｕｓｅｒ  ｅｘｐｅｒｉｅｎｃｅ）、省電力ランチャであってよい。バッテリ電力レベル閾値に達したと判断される場合、電子デバイスは、現在実行中の第１のランチャを終了し、バッテリ寿命を伸ばすべく第２のランチャをアクティブ化する。従って、モバイル電子デバイスは、通話及びテキストメッセージングなどの基本的な必須機能のために、その電力を自動的に保存できる。
【図面の簡単な説明】
【０００９】
【図１】本発明の実施形態による、第１のランチャを用いる通常動作モード、及び、第２のランチャを用いる省電力モードにおけるモバイル電子デバイスのＧＵＩ表示を示す。
【００１０】
【図２】本発明の実施形態による、モバイル電子デバイスを示すブロック図である。
【００１１】
【図３】本発明の実施形態による、ランチャのコンポーネントを概念的に示すブロック図である。
【００１２】
【図４Ａ】本発明の実施形態による、モバイル電子デバイスを省電力モードに遷移させるためのプロセスを示すフローチャートである。
【図４Ｂ】本発明の実施形態による、モバイル電子デバイスを省電力モードに遷移させるためのプロセスを示すフローチャートである。
【図４Ｃ】本発明の実施形態による、モバイル電子デバイスを省電力モードに遷移させるためのプロセスを示すフローチャートである。
【発明を実施するための形態】
【００１３】
ここで、本発明の実施形態を詳細に参照する。それらの例は添付の図面において示されている。以下の詳細な説明においては、本発明の完全な理解を提供すべく、多数の具体的な詳細が述べられる。しかしながら、本発明がこれらの具体的な詳細なしに実施され得ること、又は、本発明の主旨及び範囲から逸脱することなく様々な変更及び置換が本発明に対して成され得ることが当業者には明らかであろう。他の例において、実施形態の態様を不必要に曖昧にしないよう、周知の方法、手順、コンポーネント、及び回路は詳細には説明されていない。
【００１４】
図１は、本発明の実施形態による、例えば、スマートフォン又はタブレットデバイスといったモバイル電子デバイス１００を示す。モバイル電子デバイス１００は、通常、（図１の左側に示される）通常動作モードで動く。通常動作モードでは、バッテリのエネルギーを節約すべくユーザエクスペリエンスを犠牲にすることなく、モバイル電子デバイス上の機能は正常に動作する。図１において示されるように、画面上に機能のアイコンを表示すべく、第１のランチャが用いられる。バッテリの電力レベルが、予め設定された閾値より低いと判断される場合、モバイル電子デバイス１００は（図１の右側に示される）省電力モードで動く。モバイル電子デバイス１００は、音声通信機能及びテキストメッセージング機能に関連していない機能をシャットダウン又は低下させ、アクティブなままのそれらの機能だけのアイコンのみを表示し得る。以下により詳細に説明されるように、第１のランチャから第２のランチャに切り替えることによって、モバイル電子デバイス１００は通常動作モードから省電力モードに切り替わる。第２のランチャは、例えば、モバイル電子デバイスのグラフィックス処理装置（ＧＰＵ）を無効又はデグレードさせ、グラフィカル効果を削除し、表示解像度を低下させ、及び／又は、ＣＰＵ周波数をスケールダウンし得る省電力機能を有する。モバイル電子デバイス１００が省電力モードで動くとき多数の機能がシャットダウンされ、それに応じて、第２のランチャは、シャットダウンされた機能を画面上に表示しない。例えば、第２のランチャは、図１において示されるように、通話及びテキストメッセージングのアイコンを画面上に表示するのみであってよい。
【００１５】
図２は、本発明の実施形態によるモバイル電子デバイス１００を示す。デバイス１００は、メモリ１３０、メモリコントローラ１０５、中央演算処理装置（ＣＰＵ）１０１、グラフィックス処理装置（ＧＰＵ）１０３、周辺機器インタフェース１０７、無線周波数（ＲＦ）回路１７０、オーディオ回路１９０、画面１１１、外部ポート１８０、グローバル・ポジショニング・システム・モジュール（ＧＰＳ）１２０、及び電力システム１５０を含む。これらのコンポーネントは、１又は複数の通信バス又は信号ラインを介して通信する。モバイル電子デバイス１００は、例えば、ハンドヘルドコンピュータ、タブレットコンピュータ、携帯電話、メディアプレーヤ、又は携帯情報端末（ＰＤＡ）であり得る。図２において示される様々なコンポーネントは、１又は複数の信号処理回路及び／又は特定用途向け集積回路を含む、ハードウェア、又は、ハードウェア及びソフトウェアの組み合わせで実装され得る。
【００１６】
メモリ１３０は、高速ランダムアクセスメモリを含んでよく、１又は複数の磁気ディスクストレージデバイス、フラッシュメモリデバイス、又は他の不揮発性固体メモリデバイスなどの不揮発性メモリもまた含んでよい。メモリ１３０への、ＣＰＵ１０１、ＧＰＵ１０３、及び周辺機器インタフェース１０７などの、デバイス１００の他のコンポーネントによるアクセスは、メモリコントローラ１０５によって制御され得る。
【００１７】
本発明の他の実施形態において、メモリ１３０は、例えば、ＲＦ回路１７０又は外部ポート１８０を介してアクセスされるネットワーク接続ストレージといった、モバイル電子デバイス１００から遠隔に位置するストレージと、インターネット、イントラネット、ローカルエリアネットワーク（ＬＡＮｓ）、広域ローカルエリアネットワーク（ＷＬＡＮｓ）、ストレージエリアネットワーク（ＳＡＮｓ）及び同様のもの、又はこれらの任意の適切な組み合わせなどの通信ネットワーク（図示せず）とを含んでよい。
【００１８】
図２に戻り参照すると、周辺機器インタフェース１０７は、デバイス１００の入力及び出力の周辺機器を、ＣＰＵ１０１、ＧＰＵ１０３、及びメモリ１３０に連結する。ＣＰＵ１０１は、メモリ１３０に格納された様々なソフトウェアプログラム及び／又は命令組を実行して、デバイス１００のための様々な機能を実行し、データを処理する。ＧＰＵ１０３は、画面１１１のためのグラフィック処理機能を処理する。いくつかの実施形態において、グラフィック処理機能はＣＰＵ１０１によって処理されるので、ＧＰＵ１０３は置き換えられてよい。
【００１９】
外部ポート１８０は、直接に、又はネットワークを介して遠隔に、の何れかで他のデバイスに連結すべく適合させられる。例えば、外部ポート１８０は、ユニバーサルシリアルバス（ＵＳＢ）、ファイヤーワイヤ、外部ストレージ媒体を受けるためのメモリスロット等を備え得る。
【００２０】
ＲＦ（無線周波数）回路１７０は、電磁信号とも呼ばれるＲＦ信号を受信及び送信する。ＲＦ回路１７０は、電気信号を電磁信号へ、又は電磁信号を電気信号へ変換し、電磁信号を介して通信ネットワーク及び他の通信デバイスと通信する。ＲＦ回路１７０は、限定はされないが、アンテナシステム、ＲＦ送受信機、１又は複数の増幅器、チューナ、１又は複数の発振器、デジタル信号プロセッサ、ＣＯＤＥＣチップセット、加入者識別モジュール（ＳＩＭ）カード、メモリ等を含む、これらの機能を実行するための周知の回路を含んでよい。ＲＦ回路１７０は、インターネット、イントラネット、並びに／又は、セルラフォンネットワーク、無線ローカルエリアネットワーク（ＬＡＮ）及び／若しくはメトロポリタンエリアネットワーク（ＭＡＮ）などの無線ネットワークなどのネットワークと通信し、且つ、無線通信によって他のデバイスと通信してよい。無線通信ネットワークは、限定はされないが、グローバル・システム・フォー・モバイル・コミュニケーション（ＧＳＭ（登録商標））、エンハンスト・データ・ＧＳＭ（登録商標）・エンバイロンメント（ＥＤＧＥ）、高速ダウンリンクパケットアクセス（ＨＳＤＰＡ）、高速アップリンクパケットアクセス（ＨＳＵＰＡ）、広帯域符号分割多元接続（Ｗ−ＣＤＭＡ）、符号分割多元接続（ＣＤＭＡ）、時分割多元接続（ＴＤＭＡ）、Ｂｌｕｅｔｏｏｔｈ（登録商標）、ワイヤレス・フィディリティ（Ｗｉ−Ｆｉ）（例えば、ＩＥＥＥ８０２．１１ａ、ＩＥＥＥ８０２．１１ｂ、ＩＥＥＥ８０２．１１ｇ、及び／若しくはＩＥＥＥ８０２．１１ｎ）、ボイス・オーバー・インターネット・プロトコル（ＶｏＩＰ）、Ｗｉ−Ｍａｘ、又は任意の他の適切な通信プロトコルを含む複数の通信規格、通信プロトコル、及び通信技術のうちのいずれかを使用してよい。
【００２１】
オーディオ回路１９０は、１又は複数のスピーカ１９１及びマイク１９３と接続する。これらのコンポーネントは共に、ユーザとデバイス１００との間にオーディオインタフェースを提供する。オーディオ回路１９０は、周辺機器インタフェース１０７からオーディオデータを受信し、オーディオデータを電気信号に変換し、電気信号をスピーカ１９１に送信する。スピーカ１９１は、電気信号を人の可聴領域の音波に変換する。オーディオ回路１９０は、また、音波からマイク１９３によって変換された電気信号を受信する。オーディオ回路１９０は、電気信号をオーディオデータに変換し、処理すべく、オーディオデータを周辺機器インタフェース１０７に送信する。オーディオデータは、周辺機器インタフェース１０７によって、メモリ１３０及び／又はＲＦ回路１７０から取り出され、及び／又は、メモリ１３０及び／又はＲＦ回路１７０へ送信されてよい。
【００２２】
画面１１１はタッチスクリーンであってよく、デバイスとユーザとの間に出力インタフェース及び入力インタフェースの両方を提供する。画面１１１は、テキスト、グラフィックス、ビデオ、及びこれらの任意の組み合わせを含み得る視覚的出力をユーザに対して表示する。視覚的出力のいくつか又は全てはユーザ・インタフェース・オブジェクトに対応していてよく、それらの更なる詳細は以下に説明される。画面１１１は、ＬＣＤ（液晶ディスプレイ）技術、又は他の既知のディスプレイ技術を使用してよい。画面１１１は、また、触覚的及び／又は触知的な接触に基づいてユーザからの入力を受け入れる。
【００２３】
デバイス１００は、様々なコンポーネントへの電力供給のための電力システム１５０もまた含む。電力システム１５０は、蓄電用のバッテリ１５３、バッテリ１５３の電力レベルを監視するための従来型の電力レベル監視モジュール１５１、及び、モバイルデバイスにおける電力の発生、管理、及び分配に関連付けられる任意の他のコンポーネントを含んでよい。バッテリ１５３は、直流電力を提供すべく、リチウムイオンバッテリなどの再充電可能バッテリによって実装されてよい。電力レベル監視モジュール１５１は、バッテリ１５３に連結され、バッテリ１５３のエネルギーレベルを検出可能な電子機器を含んでよい。
【００２４】
メモリ１３０に格納されるオペレーティングシステム１３１（例えば、Ａｎｄｒｏｉｄ（登録商標）、ＲＴＸＣ、Ｌｉｎｕｘ（登録商標）、ＵＮＩＸ（登録商標）、Ａｐｐｌｅ  ＯＳ  Ｘ、Ｍｉｃｒｏｓｏｆｔ  Ｗｉｎｄｏｗｓ（登録商標）、又はＶｘＷｏｒｋｓなどの組み込み型オペレーティングシステム）は、一般的なシステムタスク（例えば、メモリ管理、ストレージデバイス制御、電力管理等）を制御及び管理するための様々なソフトウェアコンポーネント及び／又はドライバを含み、様々なハードウェアコンポーネントとソフトウェアコンポーネントとの間での通信を容易にする。多くの種類のオペレーティングシステムが適用されてよいが、以下の説明は、本発明の実施形態を説明するために、例としてＡｎｄｒｏｉｄ（登録商標）を使用する。様々なアプリケーション１３３がオペレーティングシステム１３１にインストールされてよい。
【００２５】
メモリ１３０は、第１のランチャ１３４及び第２のランチャ１３５もまた含む。一般的に言えば、ランチャはソフトウェアプログラムであって、モバイル電子デバイスにインストールされた他のソフトウェアプログラムを開始するためにリンクを画面上に提示するソフトウェアプログラムである。本発明の他の実施形態は２より多いランチャを使用してよいことが留意されるべきである。
【００２６】
図３は、ランチャの動作コンポーネントを概念的に示す。本発明のいくつかの実施形態において、ランチャは、機能コードへのリンクに従って、ユーザに対して表示される複数の機能タイトルの集まりを備え、これらは共にユーザが機能タイトルを識別し、それを選択し開くことを可能にし得る。ランチャによって提示されるリンクは、複数の機能のアイコンを示す画面上に表示されるウィンドウ、ドロップダウンリストなどの機能タイトルのリスト、又は、インターネットブラウザ若しくは別のプログラムに含まれるツールバーを、機能を開くためのボタンと共に含んでよい。これらのリンクの全ては、ユーザが所望のアプリケーション又は機能を選択し開くことを可能にする。また、ランチャは、ファイルフォルダ又は他のウィンドウへのアクセスを可能にする１又は複数のタイトルを含んでよい。図３において示されるように、例示的なランチャ２３４は、オペレーティングシステム２３１に組み込まれる実行可能なランチャコードを含む。ランチャ２３４は、モバイル電子デバイス２００の画面上で参照するための、（アイコンとして示される）機能タイトルを含むユーザインタフェースを提示すべく使用される。ユーザがユーザインタフェースを介して機能タイトルを選択するとき、ランチャは、それぞれの機能をアクティブ化するためにメモリ２３０内のそれぞれの実行可能なアプリケーション２３３を実行する。
【００２７】
図２に戻り参照すると、メモリ１３０は以下に説明されるように、オペレーティングシステム１３１と対話するアクティブ化モジュール１３２、第１のランチャ１３４、第２のランチャ１３５、及び機能制限モジュール１３６を更に含んでよい。
【００２８】
アクティブ化モジュール１３２は、電力システム１５０の電力レベル監視モジュール１５１から取得されるバッテリ１５３の電力レベルを受信し、当該電力レベルを予め定められた閾値と比較し、当該比較に従って、デバイス１００のメモリ１３０内に格納される対応するランチャ１３４又は１３５をアクティブ化するよう構成される。閾値はユーザによって入力又は選択されてよい。例えば、予め定められた閾値は２０％（２０％の電力が残っている）であってよい。それは、バッテリ１５３の電力レベルが２０％より高いとき、モバイルデバイス１００は第１のランチャ１３４を使用し、そうでないときは、モバイルデバイスは、第１のランチャ１３４を置換すべく第２のランチャ１３５をアクティブ化することを意味する。
【００２９】
アクティブ化モジュール１３２は、メモリ１３０上に格納される機能制限モジュール１３６をアクティブ化するよう更に構成されてよい。例えば、電力レベルが予め定められた閾値より小さいとき、アクティブ化モジュール１３２は、また、モバイルデバイス１００の特定の機能を無効にする、又は低下させることを開始すべく、機能制限モジュール１３６をアクティブ化してもよい。
【００３０】
第１のランチャ１３４は、フルユーザエクスペリエンスで、他のソフトウェアプログラムを開始するためのリンクを画面１１１上に表示する。フルユーザエクスペリエンスとは、バッテリ１５３のエネルギーを節約すべくユーザエクスペリエンスを犠牲にすることなく、モバイルデバイス上の機能が正常に実行されることを意味する。
【００３１】
第１のランチャ１３４とは対照的に、第２のランチャ１３５は、低減したユーザエクスペリエンスランチャであり、デバイスが省電力モードに入るときに適用される。例えば、アクティブ化モジュール１３２が、バッテリ１５３の電力レベルが特定の予め定められた閾値、例えば２０％、より小さいと判断するとき、アクティブ化モジュール１３２は第２のランチャ１３５をアクティブ化する。
【００３２】
他の実施形態において、機能制限モジュール１３６は第２のランチャ１３５の一部として実装されてよい。
【００３３】
図４Ａ−図４Ｃは、本発明の実施形態による、バッテリ１５３の電力レベルが予め定められた閾値に達するときに、第１のランチャ１３４から第２のランチャ１３５へ切り替えるための、及び、機能制限モジュール１３６をアクティブ化するためのプロセスを示すフローチャートである。
【００３４】
段階３０１において、第１のランチャ１３４を開始する。初めに、バッテリ１５３が満充電されている、又はバッテリ１５３の電力レベルが予め定められた閾値より高い場合、モバイルデバイス１００は第１のランチャ１３４の実行を開始する。故に、電力を節約すべく性能を犠牲にすることなく、モバイルデバイス１００は、豊富な通信サービスを提供し、且つ、通常の性能を維持することができる。
【００３５】
段階３０２において、バッテリ１５３の電力レベルを監視する。電力システム１５０内の電力レベル監視モジュール１５１は、バッテリ１５３の電力レベルを監視し続け、バッテリ１５３の電力レベルの報告をオペレーティングシステム１３１に返し続ける。アクティブ化モジュール１３２は、オペレーティングシステム１３１を介してバッテリ１５３の電力レベルを取得する。
【００３６】
段階３０３において、バッテリ１５３の電力レベルが予め決められた閾値に達したと判断する。アクティブ化モジュール１３２は、取得されたバッテリ１５３の電力レベルを予め設定された閾値と比較する。例えば、予め設定された閾値はユーザによって入力されてよい、又は、モバイルデバイス１００の製造者によって設定されてよい。閾値に達していない場合、アクティブ化モジュール１３２はバッテリ１５３の電力レベルを監視し続ける。
【００３７】
段階３０５において、現在実行中の第１のランチャ１３４を終了する。閾値に達した場合、アクティブ化モジュール１３２は現在実行中の第１のランチャ１３４を終了し、段階３０６に進む。
【００３８】
段階３０６において、アクティブ化モジュール１３２を使用して、第２のランチャ１３５をアクティブ化する。 
【００３９】
段階３０４において、機能制限モジュール１３６をアクティブ化する。アクティブ化モジュール１３２は、機能制限モジュール１３６をアクティブ化して、デバイス１００の機能を低下させる、又は無効にすることを開始してよい。第２のランチャ１３５を開始させるための閾値、及び、機能制限モジュール１３６を開始させるための閾値は、同じ閾値であっても、なくてもよいことが留意されるべきである。
【００４０】
段階３０７において、機能を無効にする、又は低下させる。ひとたび第２のランチャ１３５がアクティブ化されると、上記において定義された第２のランチャ１３５は、ＧＰＵを無効にする、若しくはデグレードさせ、グラフィカル効果を削除し、表示解像度を低下させ、ＣＰＵ周波数をスケールダウンし、及び／又は上述された他の機能を実行してよい。
【００４１】
より具体的には、図４Ｂを参照すると、段階３０７は、段階３０７Ａ−３０７Ｅのうちの１又は複数を更に含んでよい。
【００４２】
段階３０７Ａにおいて、ＧＰＵのサポートを無効又は最小化する。第２のランチャ１３５がＧＰＵのサポートを無効又は最小化した。第２のランチャ１３５は、利用可能なＧＰＵハードウェアインタフェースを介して、ＧＰＵ１０３の周波数を最小の許容レベルで駆動および固定する、又は、ＧＰＵ１０３をパワーダウンさせる、の何れかを行うよう、システムコールを介してオペレーティングシステム（ＯＳ）カーネルなどのより低いレベルのソフトウェアに命令する。その代わりに、第２のランチャ１３５はＣＰＵ１０１を使用してグラフィックスをレンダリングするよう設計されてよい。
【００４３】
段階３０７Ｂにおいて、スクロール、回転、又はアニメーションを無効にする。第２のランチャ１３５は、スクロール、回転、及びアニメーションを含む１又は複数のグラフィカル効果のためのサポートを無効にする。
【００４４】
段階３０７ＣにおいてＣＰＵ周波数をスケールダウンする。第２のランチャ１３５は、動作レベルを最小にすべく、ＣＰＵ周波数をスケールダウンするためのコードを含んでよい。ＣＰＵが複数のコアを有する場合、ＣＰＵは単一コアモードに設定されてよい。当該ランチャは、ＣＰＵガバナ及びＣＰＵのホットプラグインタフェースを介してＣＰＵ周波数をスケールダウンし、追加のコアを無効にするようＯＳカーネルなどのより低いレベルのソフトウェアコンポーネントに命令するシステムコールを介して、これを行う。
【００４５】
段階３０７Ｄにおいて、バッテリレベル及び受信信号強度指標（ＲＳＳＩ）以外のグラフィック通知又はテキスト通知を無効にする。第２のランチャ１３５は、バッテリレベル、ＲＳＳＩ、及びクロックに対する状態情報をサポートする。他のグラフィック通知又はテキスト通知はサポートされない。
【００４６】
段階３０７Ｅにおいて、ディスプレイの輝度を低下させ、表示解像度を低下させる。第２のランチャ１３５は、それぞれのデバイスドライバを介して、表示解像度、リフレッシュレート、又は輝度を低下させるべく、ＯＳカーネルなどのより低いレベルのＳＷコンポーネントに命令するシステムコールを使用するためのコードを更に含んでよい。
【００４７】
図４Ａに戻り参照すると、段階３０８において機能を無効にする、又は低下させる。機能制限モジュール１３６がアクティブ化されるとき、機能制限モジュール１３６は、デバイスの機能を無効にする、又は低下させることを開始してよい。一実施形態において、機能制限モジュール１３６は、通話機能及びテキストメッセージング機能に関連していない全ての機能、プログラム、及び／又はサービスを無効にしてよい。
【００４８】
より具体的には、図４Ｃを参照すると、段階３０８において、メモリ１３０上に格納される機能制限モジュール１３６は、以下の段階のうちの１又は複数を実行するよう構成されてよい。
【００４９】
段階３０８Ａにおいて、機能制限モジュール１３６を使用して、無線モデムを、利用可能な最も基本的な無線モード（例えば２Ｇ）、又は音声のみのサポートに切り替える。無線モデム制限モジュール２０９は、無線モードを、音声のみのサポート、又は、利用可能な最も基本的な無線モードに切り替えるべくモデムサブシステムに制御メッセージを送信するようＯＳカーネルなどのより低いレベルのソフトウェアコンポーネントに命令するシステムコールを使用してよい。
【００５０】
段階３０８Ｂにおいて、電子メール、ソーシャルネットワーキング、又は、インターネットアクセスを含む１又は複数のデータサービスを無効にする。機能制限モジュール１３６は、データサービスプログラムを終了するべく、例えば、アクティビティマネージャサービスといった専用のＯＳのサービスを使用してよい。
【００５１】
段階３０８Ｃにおいて、オーディオ機能を音声通話及び着信音再生に制限する。機能制限モジュール１３６は、音楽プレーヤ又はビデオプレーヤなどの高度なマルチメディアサービスを使用するプログラムを終了し、オーディオ機能を音声通話及び着信音再生に制限すべく、例えばアクティビティマネージャサービスといった専用のＯＳのサービスを使用してよい。
【００５２】
段階３０８Ｄにおいて、Ｗｉ−Ｆｉ、Ｂｌｕｅｔｏｏｔｈ（登録商標）、又は、ＧＰＳを無効にする。機能制限モジュール１３６は、Ｗｉ−Ｆｉ、Ｂｌｕｅｔｏｏｔｈ（登録商標）、ＧＰＳのサブシステムといった接続機能うちの１又は複数を、標準的なＯＳのサービスを使用して先述の接続コンポーネントを無効にすることによって非アクティブ化してよい。
【００５３】
段階３０８Ｅにおいて、カメラ、外部ストレージ、タッチ・センシティブ・ボタン、追加のスピーカ、外部ＬＥＤを含む追加のコンポーネントのうちの１又は複数を無効にする。
【００５４】
いくつかの実施形態において、第２のランチャ１３５は、無効にされた又は非アクティブ化された機能についての情報を収集してよく、それにより、第２のランチャ１３５は、無効にされた又は非アクティブ化された機能をデバイス１００の画面１１１上に表示しない。
【００５５】
本発明は具体的な特徴及びそれらの実施形態を参照して説明されたが、以下の特許請求の範囲によって定義される本発明の主旨及び範囲から逸脱することなく、様々な変更及び置換がそれらに対して成され得ることが理解されるべきである。
【図１】
2018201241.tif 000003
【図２】
2018201241.tif 000004
【図３】
2018201241.tif 000005
【図４Ａ】
2018201241.tif 000006
【図４Ｂ】
2018201241.tif 000007
【図４Ｃ】
2018201241.tif 000008
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
モバイル電子デバイスを動作させる方法であって、
省電力モードに入るべく、
前記モバイル電子デバイスによって、前記モバイル電子デバイスに格納されている２以上のランチャのうち前記モバイル電子デバイス上で実行中の第１のランチャを終了する段階と、
前記モバイル電子デバイスによって、前記２以上のランチャのうちの第２のランチャをアクティブ化する段階であって、前記第１のランチャ及び前記第２のランチャは、前記モバイル電子デバイスにインストールされた他のソフトウェアプログラムを開始するためにリンクを前記モバイル電子デバイスの画面上に提示するソフトウェアプログラムであり、前記第２のランチャは、前記モバイル電子デバイスの画面上に前記第１のランチャと比較してより少ないアプリケーションアイコンを表示し、前記第２のランチャは、音声通信機能に対応する通話アイコンと、テキストメッセージング機能に対応するテキストメッセージングアイコンとを表示する、段階と、
前記モバイル電子デバイスによって、前記画面の１又は複数の表示特性を低下させる段階であって、前記複数の表示特性は、輝度、表示解像度、及びリフレッシュレートのうちの少なくとも１つを含む、段階と
を前記モバイル電子デバイスによって実行する段階であって、バッテリレベル通知、受信信号強度インジケータ通知、及びクロック通知は前記画面において有効にされたままである、段階を備え、
前記モバイル電子デバイスは、Ａｎｄｒｏｉｄ（登録商標）システムを実行する
方法。
【請求項２】
前記モバイル電子デバイスは前記省電力モードに入るべく、
前記モバイル電子デバイスによって、前記モバイル電子デバイス内の１又は複数のハードウェア機能を無効にする段階であって、前記ハードウェア機能はＢｌｕｅｔｏｏｔｈ（登録商標）、Ｗｉ−Ｆｉ、又はＧＰＳを含む、段階、
前記モバイル電子デバイスによって、前記画面上の１又は複数の通知を無効にする段階、
前記モバイル電子デバイスによって、前記モバイル電子デバイス上の１又は複数のアプリケーションを無効にし、前記無効にされた１又は複数のアプリケーションの各アイコンを前記モバイル電子デバイスの前記画面上に表示しない段階であって、音声通信機能に対応するアプリケーションと、テキストメッセージング機能に対応するアプリケーションは有効にされたままである、段階、
前記モバイル電子デバイスによって、前記モバイル電子デバイス内のＣＰＵのコアを無効にする段階、
前記モバイル電子デバイスによって、前記モバイル電子デバイス内のＣＰＵのＣＰＵ周波数をスケールダウンする段階、
前記モバイル電子デバイスによって、前記モバイル電子デバイス内のグラフィックス処理装置、ＧＰＵ、を無効にする段階、
前記モバイル電子デバイスによって、前記モバイル電子デバイス内のＧＰＵのＧＰＵ周波数を下げる段階、及び
前記モバイル電子デバイスによって、前記モバイル電子デバイス内の無線モデムの無線モードを下げる段階のうちの少なくとも１つを更に実行する、
請求項１に記載の方法。
【請求項３】
前記第１のランチャ及び前記第２のランチャは、前記モバイル電子デバイスにおいて同じオペレーティングシステム上で実行される、
請求項１又は２に記載の方法。
【請求項４】
モバイル電子デバイスを動作させる方法であって、
前記モバイル電子デバイスによって、省電力モードに入るべく、前記モバイル電子デバイスに格納されている２以上のランチャのうち前記モバイル電子デバイス上で実行中の第１のランチャを終了し、前記２以上のランチャのうちの第２のランチャをアクティブ化する段階であって、前記第１のランチャ及び前記第２のランチャは、前記モバイル電子デバイスにインストールされた他のソフトウェアプログラムを開始するためにリンクを前記モバイル電子デバイスの画面上に提示するソフトウェアプログラムである、段階を備え、
前記第２のランチャは、
前記第２のランチャが、前記モバイル電子デバイスの画面上に前記第１のランチャと比較してより少ないアプリケーションアイコンを表示する省電力機構であって、前記第２のランチャは、音声通信機能に対応する通話アイコンと、テキストメッセージング機能に対応するテキストメッセージングアイコンとを表示する、省電力機構、及び
前記第２のランチャが、前記第１のランチャと比較して低下させられた前記画面の複数の表示特性を有する省電力機構であって、前記複数の表示特性は、輝度、表示解像度、及びリフレッシュレートのうちの少なくとも１つを含む、省電力機構を有し、バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
方法。
【請求項５】
前記第２のランチャは、
前記モバイル電子デバイス内の１又は複数のハードウェア機能が無効にされる省電力機構であって、前記ハードウェア機能は、Ｂｌｕｅｔｏｏｔｈ（登録商標）、Ｗｉ−Ｆｉ、又はＧＰＳを含む、省電力機構、
前記画面上の１又は複数の通知が無効にされる省電力機構、
前記モバイル電子デバイス上の１又は複数のアプリケーションが無効にされ、前記無効にされた１又は複数のアプリケーションの各アイコンが前記モバイル電子デバイスの前記画面上に表示されない省電力機構であって、音声通信機能に対応するアプリケーションと、テキストメッセージング機能に対応するアプリケーションとは有効にされたままである、省電力機構、
前記モバイル電子デバイス内のＣＰＵのコアが無効にされる省電力機構、
前記モバイル電子デバイス内のＣＰＵのＣＰＵ周波数がスケールダウンされる省電力機構、
前記モバイル電子デバイス内のグラフィックス処理装置、ＧＰＵ、が無効にされる省電力機構、
前記モバイル電子デバイス内のＧＰＵのＧＰＵ周波数が下げられる省電力機構、及び
前記モバイル電子デバイス内の無線モデムの無線モードが下げられる省電力機構
のうちの少なくとも１つを更に有する、
請求項４に記載の方法。
【請求項６】
前記第１のランチャ及び前記第２のランチャは、前記モバイル電子デバイスにおいて同じオペレーティングシステム上で実行される、
請求項４又は５に記載の方法。
【請求項７】
モバイル電子デバイスを動作させる方法であって、
前記モバイル電子デバイスによって、前記モバイル電子デバイスに電力供給するバッテリの電力レベルを監視する段階と、
前記モバイル電子デバイスによって、前記バッテリの前記電力レベルがバッテリ電力レベル閾値より小さいか又はそれに等しいことを判断する段階と、
前記モバイル電子デバイスによって、前記判断に従って省電力モードに入る段階とを備え、前記省電力モードに入る段階は、
前記モバイル電子デバイスによって、前記モバイル電子デバイスに格納されている２以上のランチャのうち前記モバイル電子デバイス上で実行中の第１のランチャを終了する段階と、
前記２以上のランチャのうちの第２のランチャをアクティブ化する段階であって、前記第１のランチャ及び前記第２のランチャは、前記モバイル電子デバイスにインストールされた他のソフトウェアプログラムを開始するためにリンクを前記モバイル電子デバイスの画面上に提示するソフトウェアプログラムであり、前記第２のランチャは、前記モバイル電子デバイスの画面上に前記第１のランチャと比較してより少ないアプリケーションアイコンを表示し、前記第２のランチャは、音声通信機能に対応する通話アイコンと、テキストメッセージング機能に対応するテキストメッセージングアイコンとを表示する、段階と、
前記モバイル電子デバイスによって、前記画面の１又は複数の表示特性を低下させる段階であって、前記複数の表示特性は、輝度、表示解像度、及びリフレッシュレートのうちの少なくとも１つを含む、段階とを備え、バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
方法。
【請求項８】
前記省電力モードに入る段階は、
前記モバイル電子デバイスによって、前記モバイル電子デバイス内の１又は複数のハードウェア機能を無効にする段階であって、前記ハードウェア機能は、Ｂｌｕｅｔｏｏｔｈ（登録商標）、Ｗｉ−Ｆｉ、又はＧＰＳを含む、段階、
前記モバイル電子デバイスによって、前記画面上の１又は複数の通知を無効にする段階、
前記モバイル電子デバイスによって、前記モバイル電子デバイス上の１又は複数のアプリケーションを無効にし、前記無効にされた１又は複数のアプリケーションの各アイコンを前記モバイル電子デバイスの前記画面上に表示しない段階であって、音声通信機能に対応するアプリケーションと、テキストメッセージング機能に対応するアプリケーションは有効にされたままである、段階、
前記モバイル電子デバイスによって、前記モバイル電子デバイス内のＣＰＵのコアを無効にする段階、
前記モバイル電子デバイスによって、前記モバイル電子デバイス内のＣＰＵのＣＰＵ周波数をスケールダウンする段階、
前記モバイル電子デバイスによって、前記モバイル電子デバイス内のグラフィックス処理装置、ＧＰＵ、を無効にする段階、
前記モバイル電子デバイスによって、前記モバイル電子デバイス内のＧＰＵのＧＰＵ周波数を下げる段階、及び
前記モバイル電子デバイスによって、前記モバイル電子デバイス内の無線モデムの無線モードを下げる段階のうちの少なくとも１つを更に有する、
請求項７に記載の方法。
【請求項９】
前記第１のランチャ及び前記第２のランチャは、前記モバイル電子デバイスにおいて同じオペレーティングシステム上で実行される、
請求項７又は８に記載の方法。
【請求項１０】
モバイル電子デバイスを動作させる方法であって、
前記モバイル電子デバイスによって、前記モバイル電子デバイスに電力供給するバッテリの電力レベルを監視する段階と、
前記モバイル電子デバイスによって、前記バッテリの前記電力レベルが、バッテリ電力レベル閾値より小さいか又はそれに等しいことを判断する段階と、
前記判断に応答して、前記モバイル電子デバイスによって、前記モバイル電子デバイスに格納されている２以上のランチャのうち前記モバイル電子デバイス上で実行中の第１のランチャを終了し、前記２以上のランチャのうちの第２のランチャをアクティブ化することによって省電力モードに入る段階であって、前記第１のランチャ及び前記第２のランチャは、前記モバイル電子デバイスにインストールされた他のソフトウェアプログラムを開始するためにリンクを前記モバイル電子デバイスの画面上に提示するソフトウェアプログラムである、段階を備え、
前記第２のランチャは、
前記第２のランチャが、前記モバイル電子デバイスの画面上に前記第１のランチャと比較してより少ないアプリケーションアイコンを表示する省電力機構であって、前記第２のランチャは、音声通信機能に対応する通話アイコンと、テキストメッセージング機能に対応するテキストメッセージングアイコンとを表示する、省電力機構、及び
前記第２のランチャが、前記第１のランチャと比較して低下させられた前記画面の複数の表示特性を有する省電力機構であって、前記複数の表示特性は、輝度、表示解像度、及びリフレッシュレートのうちの少なくとも１つを含む、省電力機構を備え、バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
方法。
【請求項１１】
前記第２のランチャは、
前記モバイル電子デバイス内の１又は複数のハードウェア機能が無効にされる省電力機構であって、前記ハードウェア機能は、Ｂｌｕｅｔｏｏｔｈ（登録商標）、Ｗｉ−Ｆｉ、又はＧＰＳを含む、省電力機構、
前記画面上の１又は複数の通知が無効にされる省電力機構、
前記モバイル電子デバイス上の１又は複数のアプリケーションが無効にされ、前記無効にされた１又は複数のアプリケーションの各アイコンが前記モバイル電子デバイスの前記画面上に表示されない省電力機構であって、音声通信機能に対応するアプリケーションと、テキストメッセージング機能に対応するアプリケーションとは有効にされたままである、省電力機構、
前記モバイル電子デバイス内のＣＰＵのコアが無効にされる省電力機構、
前記モバイル電子デバイス内のＣＰＵのＣＰＵ周波数がスケールダウンされる省電力機構、
前記モバイル電子デバイス内のグラフィックス処理装置、ＧＰＵ、が無効にされる省電力機構、
前記モバイル電子デバイス内のＧＰＵのＧＰＵ周波数が下げられる省電力機構、及び
前記モバイル電子デバイス内の無線モデムの無線モードが下げられる省電力機構のうちの少なくとも１つを更に有する、
請求項１０に記載の方法。
【請求項１２】
前記第１のランチャ及び前記第２のランチャは、前記モバイル電子デバイスにおいて同じオペレーティングシステム上で実行される、
請求項１０又は１１に記載の方法。
【請求項１３】
モバイル電子デバイスであって、
画面と、
プロセッサと、
前記プロセッサによる実行のためのプログラミングを格納する非一時的コンピュータ可読記憶媒体とを備え、
前記プログラミングは、
前記モバイル電子デバイスに電力供給するバッテリの電力レベルを監視し、
前記バッテリの前記電力レベルがバッテリ電力レベル閾値より小さいか又はそれに等しいことを判断し、
前記バッテリの前記電力レベルが前記バッテリ電力レベル閾値より小さいか又はそれに等しいという判断に従って、省電力モードに入るための複数の命令を有し、
前記省電力モードに入るための前記複数の命令は、
前記モバイル電子デバイスに格納されている２以上のランチャのうち前記モバイル電子デバイス上で実行中の第１のランチャを終了し、
前記２以上のランチャのうちの第２のランチャをアクティブ化し、
前記画面の１又は複数の表示特性を低下させるための複数の命令を含み、
前記第１のランチャ及び前記第２のランチャは、前記モバイル電子デバイスにインストールされた他のソフトウェアプログラムを開始するためにリンクを前記モバイル電子デバイスの画面上に提示するソフトウェアプログラムであり、前記第２のランチャは、前記画面上に前記第１のランチャと比較してより少ないアプリケーションアイコンを表示し、前記第２のランチャは、音声通信機能に対応する通話アイコンと、テキストメッセージング機能に対応するテキストメッセージングアイコンとを表示し、
前記複数の表示特性は、輝度、表示解像度、及びリフレッシュレートのうちの少なくとも１つを含み、
バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
モバイル電子デバイス。
【請求項１４】
モバイル電子デバイスであって、
画面と、
非一時的コンピュータ可読メモリと、
前記メモリに連結されたプロセッサとを備え、前記プロセッサは、
前記モバイル電子デバイスに電力供給するバッテリの電力レベルを監視し、
前記バッテリの前記電力レベルがバッテリ電力レベル閾値より小さいか又はそれに等しいことを判断し、
前記判断に従って、前記モバイル電子デバイスを省電力モードに入らせるべく、前記モバイル電子デバイスに格納されている２以上のランチャのうち前記モバイル電子デバイス上で実行中の第１のランチャを終了し、前記２以上のランチャのうちの第２のランチャをアクティブ化し、前記第１のランチャ及び前記第２のランチャは、前記モバイル電子デバイスにインストールされた他のソフトウェアプログラムを開始するためにリンクを前記モバイル電子デバイスの画面上に提示するソフトウェアプログラムであり、前記第２のランチャは、
前記第２のランチャが、前記モバイル電子デバイスの画面上に前記第１のランチャと比較してより少ないアプリケーションアイコンを表示する省電力機構であって、前記第２のランチャは、音声通信機能に対応する通話アイコンと、テキストメッセージング機能に対応するテキストメッセージングアイコンとを表示する、省電力機構、及び
前記第２のランチャが、前記第１のランチャと比較して低下させられた前記画面の複数の表示特性を有する省電力機構であって、前記複数の表示特性は、輝度、表示解像度、及びリフレッシュレートのうちの少なくとも１つを含む、省電力機構を有し、
バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
モバイル電子デバイス。
【請求項１５】
モバイル電子デバイスであって、
画面と、
プロセッサと、
前記プロセッサによる実行のためのプログラミングを格納する非一時的コンピュータ可読記憶媒体とを備え、前記プログラミングは、省電力モードに入るべく、
前記モバイル電子デバイスに格納されている２以上のランチャのうち前記モバイル電子デバイス上で実行中の第１のランチャを終了すること、
前記２以上のランチャのうちの第２のランチャをアクティブ化すること、及び
前記画面の１又は複数の表示特性を低下させることを実行するための複数の命令を含み、
前記第１のランチャ及び前記第２のランチャは、前記モバイル電子デバイスにインストールされた他のソフトウェアプログラムを開始するためにリンクを前記画面上に提示するソフトウェアプログラムであり、前記第２のランチャは、前記モバイル電子デバイスの画面上に前記第１のランチャと比較してより少ないアプリケーションアイコンを表示し、前記第２のランチャは、音声通信機能に対応する通話アイコンと、テキストメッセージング機能に対応するテキストメッセージングアイコンとを表示し、
前記複数の表示特性は、輝度、表示解像度、及びリフレッシュレートのうちの少なくとも１つを含み、
バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
モバイル電子デバイス。
【請求項１６】
前記第１のランチャ及び前記第２のランチャは、前記モバイル電子デバイスにおいて同じオペレーティングシステム上で実行される２つのランチャである、
請求項１５に記載のモバイル電子デバイス。
【請求項１７】
モバイル電子デバイスであって、
画面と、
非一時的コンピュータ可読メモリと、
前記メモリに連結されたプロセッサとを備え、前記プロセッサは、
前記モバイル電子デバイスを省電力モードに入らせるべく、前記モバイル電子デバイスに格納されている２以上のランチャのうち前記モバイル電子デバイス上で実行中の第１のランチャを終了し、前記２以上のランチャのうちの第２のランチャをアクティブ化し、前記第１のランチャ及び前記第２のランチャは、前記モバイル電子デバイスにインストールされた他のソフトウェアプログラムを開始するためにリンクを前記画面上に提示するソフトウェアプログラムであり、
前記第２のランチャは、
前記第２のランチャが、前記モバイル電子デバイスの画面上に前記第１のランチャと比較してより少ないアプリケーションアイコンを表示する省電力機構であって、前記第２のランチャは、音声通信機能に対応する通話アイコンと、テキストメッセージング機能に対応するテキストメッセージングアイコンとを表示する、省電力機構、及び
前記画面の１又は複数の表示特性が低下させられる省電力機構であって、前記複数の表示特性は、輝度、表示解像度、及びリフレッシュレートのうちの少なくとも１つを含む、省電力機構を有し、バッテリレベル通知、受信信号強度インジケータ通知、及びクロック通知は前記画面上で有効にされたままであり、
前記モバイル電子デバイスは、Ａｎｄｒｏｉｄ（登録商標）システムを実行する
モバイル電子デバイス。
【請求項１８】
前記第１のランチャ及び前記第２のランチャは、前記モバイル電子デバイスにおいて同じオペレーティングシステム上で実行される２つのランチャである、
請求項１７に記載のモバイル電子デバイス。
【手続補正２】
【補正対象書類名】明細書
【補正対象項目名】００１４
【補正方法】変更
【補正の内容】
【００１４】
図１は、本発明の実施形態による、例えば、スマートフォン又はタブレットデバイスといったモバイル電子デバイス１００を示す。モバイル電子デバイス１００は、通常、（図１の左側に示される）通常動作モードで動く。通常動作モードでは、バッテリのエネルギーを節約すべくユーザエクスペリエンスを犠牲にすることなく、モバイル電子デバイス上の機能は正常に動作する。図１において示されるように、画面上に機能のアイコンを表示すべく、第１のランチャが用いられる。バッテリの電力レベルが、予め設定された閾値より低いと判断される場合、モバイル電子デバイス１００は（図１の右側に示される）省電力モードで動く。モバイル電子デバイス１００は、音声通信機能及びテキストメッセージング機能に関連していない機能をシャットダウン又は低下させ、アクティブなままのそれらの機能だけのアイコンのみを表示し得る。以下により詳細に説明されるように、第１のランチャから第２のランチャに切り替えることによって、モバイル電子デバイス１００は通常動作モードから省電力モードに切り替わる。第２のランチャは、例えば、モバイル電子デバイスのグラフィックス処理装置（ｇｒａｐｈｉｃｓ  ｐｒｏｃｅｓｓｉｎｇ  ｕｎｉｔ、ＧＰＵ）を無効又はデグレードさせ、グラフィカル効果を削除し、表示解像度を低下させ、及び／又は、ＣＰＵ周波数をスケールダウンし得る省電力機能を有する。モバイル電子デバイス１００が省電力モードで動くとき多数の機能がシャットダウンされ、それに応じて、第２のランチャは、シャットダウンされた機能を画面上に表示しない。例えば、第２のランチャは、図１において示されるように、通話及びテキストメッセージングのアイコンを画面上に表示するのみであってよい。
【手続補正３】
【補正対象書類名】明細書
【補正対象項目名】００１５
【補正方法】変更
【補正の内容】
【００１５】
図２は、本発明の実施形態によるモバイル電子デバイス１００を示す。デバイス１００は、メモリ１３０、メモリコントローラ１０５、中央演算処理装置（ｃｅｎｔｒａｌ  ｐｒｏｃｅｓｓｉｎｇ  ｕｎｉｔ、ＣＰＵ）１０１、グラフィックス処理装置（ＧＰＵ）１０３、周辺機器インタフェース１０７、無線周波数（Ｒａｄｉｏ  Ｆｒｅｑｕｅｎｃｙ、ＲＦ）回路１７０、オーディオ回路１９０、画面１１１、外部ポート１８０、グローバル・ポジショニング・システム・モジュール（Ｇｌｏｂａｌ  Ｐｏｓｉｔｉｏｎｉｎｇ  Ｓｙｓｔｅｍ  ｍｏｄｕｌｅ、ＧＰＳ）１２０、及び電力システム１５０を含む。これらのコンポーネントは、１又は複数の通信バス又は信号ラインを介して通信する。モバイル電子デバイス１００は、例えば、ハンドヘルドコンピュータ、タブレットコンピュータ、携帯電話、メディアプレーヤ、又は携帯情報端末（ｐｅｒｓｏｎａｌ  ｄｉｇｉｔａｌ  ａｓｓｉｓｔａｎｔ、ＰＤＡ）であり得る。図２において示される様々なコンポーネントは、１又は複数の信号処理回路及び／又は特定用途向け集積回路を含む、ハードウェア、又は、ハードウェア及びソフトウェアの組み合わせで実装され得る。
【手続補正４】
【補正対象書類名】明細書
【補正対象項目名】００１７
【補正方法】変更
【補正の内容】
【００１７】
本発明の他の実施形態において、メモリ１３０は、例えば、ＲＦ回路１７０又は外部ポート１８０を介してアクセスされるネットワーク接続ストレージといった、モバイル電子デバイス１００から遠隔に位置するストレージと、インターネット、イントラネット、ローカルエリアネットワーク（Ｌｏｃａｌ  Ａｒｅａ  Ｎｅｔｗｏｒｋｓ、ＬＡＮｓ）、無線ローカルエリアネットワーク（Ｗｉｒｅｌｅｓｓ  Ｌｏｃａｌ  Ａｒｅａ  Ｎｅｔｗｏｒｋｓ、ＷＬＡＮｓ）、ストレージエリアネットワーク（Ｓｔｏｒａｇｅ  Ａｒｅａ  Ｎｅｔｗｏｒｋｓ、ＳＡＮｓ）及び同様のもの、又はこれらの任意の適切な組み合わせなどの通信ネットワーク（図示せず）とを含んでよい。
【手続補正５】
【補正対象書類名】明細書
【補正対象項目名】００１９
【補正方法】変更
【補正の内容】
【００１９】
外部ポート１８０は、直接に、又はネットワークを介して遠隔に、の何れかで他のデバイスに連結すべく適合させられる。例えば、外部ポート１８０は、ユニバーサルシリアルバス（Ｕｎｉｖｅｒｓａｌ  Ｓｅｒｉａｌ  Ｂｕｓ、ＵＳＢ）、ファイヤーワイヤ、外部ストレージ媒体を受けるためのメモリスロット等を備え得る。
【手続補正６】
【補正対象書類名】明細書
【補正対象項目名】００２０
【補正方法】変更
【補正の内容】
【００２０】
ＲＦ（ｒａｄｉｏ  ｆｒｅｑｕｅｎｃｙ、無線周波数）回路１７０は、電磁信号とも呼ばれるＲＦ信号を受信及び送信する。ＲＦ回路１７０は、電気信号を電磁信号へ、又は電磁信号を電気信号へ変換し、電磁信号を介して通信ネットワーク及び他の通信デバイスと通信する。ＲＦ回路１７０は、限定はされないが、アンテナシステム、ＲＦ送受信機、１又は複数の増幅器、チューナ、１又は複数の発振器、デジタル信号プロセッサ、ＣＯＤＥＣチップセット、加入者識別モジュール（ｓｕｂｓｃｒｉｂｅｒ  ｉｄｅｎｔｉｔｙ  ｍｏｄｕｌｅ、ＳＩＭ）カード、メモリ等を含む、これらの機能を実行するための周知の回路を含んでよい。ＲＦ回路１７０は、インターネット、イントラネット、並びに／又は、セルラフォンネットワーク、無線ローカルエリアネットワーク（ＷＬＡＮ）及び／若しくはメトロポリタンエリアネットワーク（ｍｅｔｒｏｐｏｌｉｔａｎ  ａｒｅａ  ｎｅｔｗｏｒｋ、ＭＡＮ）などの無線ネットワークなどのネットワークと通信し、且つ、無線通信によって他のデバイスと通信してよい。無線通信ネットワークは、限定はされないが、グローバル・システム・フォー・モバイル・コミュニケーション（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、エンハンスト・データ・ＧＳＭ（登録商標）・エンバイロンメント（Ｅｎｈａｎｃｅｄ  Ｄａｔａ  ＧＳＭ（登録商標）  Ｅｎｖｉｒｏｎｍｅｎｔ、ＥＤＧＥ）、高速ダウンリンクパケットアクセス（ｈｉｇｈ−ｓｐｅｅｄ  ｄｏｗｎｌｉｎｋ  ｐａｃｋｅｔ  ａｃｃｅｓｓ、ＨＳＤＰＡ）、高速アップリンクパケットアクセス（ｈｉｇｈ−ｓｐｅｅｄ  ｕｐｌｉｎｋ  ｐａｃｋｅｔ  ａｃｃｅｓｓ、ＨＳＵＰＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、Ｗ−ＣＤＭＡ）、符号分割多元接続（ｃｏｄｅ  ｄｉｖｉｓｉｏｎ  ｍｕｌｔｉｐｌｅ  ａｃｃｅｓｓ、ＣＤＭＡ）、時分割多元接続（ｔｉｍｅ  ｄｉｖｉｓｉｏｎ  ｍｕｌｔｉｐｌｅ  ａｃｃｅｓｓ、ＴＤＭＡ）、Ｂｌｕｅｔｏｏｔｈ（登録商標）、ワイヤレス・フィディリティ（Ｗｉｒｅｌｅｓｓ  Ｆｉｄｅｌｉｔｙ、Ｗｉ−Ｆｉ）（例えば、ＩＥＥＥ８０２．１１ａ、ＩＥＥＥ８０２．１１ｂ、ＩＥＥＥ８０２．１１ｇ、及び／若しくはＩＥＥＥ８０２．１１ｎ）、ボイス・オーバー・インターネット・プロトコル（ｖｏｉｃｅ  ｏｖｅｒ  Ｉｎｔｅｒｎｅｔ  Ｐｒｏｔｏｃｏｌ、ＶｏＩＰ）、Ｗｉ−Ｍａｘ、又は任意の他の適切な通信プロトコルを含む複数の通信規格、通信プロトコル、及び通信技術のうちのいずれかを使用してよい。
【手続補正７】
【補正対象書類名】明細書
【補正対象項目名】００２２
【補正方法】変更
【補正の内容】
【００２２】
画面１１１はタッチスクリーンであってよく、デバイスとユーザとの間に出力インタフェース及び入力インタフェースの両方を提供する。画面１１１は、テキスト、グラフィックス、ビデオ、及びこれらの任意の組み合わせを含み得る視覚的出力をユーザに対して表示する。視覚的出力のいくつか又は全てはユーザ・インタフェース・オブジェクトに対応していてよく、それらの更なる詳細は以下に説明される。画面１１１は、ＬＣＤ（液晶ディスプレイ、ｌｉｑｕｉｄ  ｃｒｙｓｔａｌ  ｄｉｓｐｌａｙ）技術、又は他の既知のディスプレイ技術を使用してよい。画面１１１は、また、触覚的及び／又は触知的な接触に基づいてユーザからの入力を受け入れる。
【手続補正８】
【補正対象書類名】明細書
【補正対象項目名】００４２
【補正方法】変更
【補正の内容】
【００４２】
段階３０７Ａにおいて、ＧＰＵのサポートを無効又は最小化する。第２のランチャ１３５がＧＰＵのサポートを無効又は最小化した。第２のランチャ１３５は、利用可能なＧＰＵハードウェアインタフェースを介して、ＧＰＵ１０３の周波数を最小の許容レベルで駆動および固定する、又は、ＧＰＵ１０３をパワーダウンさせる、の何れかを行うよう、システムコールを介してオペレーティングシステム（ｏｐｅｒａｔｉｎｇ  ｓｙｓｔｅｍ、ＯＳ）カーネルなどのより低いレベルのソフトウェアに命令する。その代わりに、第２のランチャ１３５はＣＰＵ１０１を使用してグラフィックスをレンダリングするよう設計されてよい。
【手続補正９】
【補正対象書類名】明細書
【補正対象項目名】００４５
【補正方法】変更
【補正の内容】
【００４５】
段階３０７Ｄにおいて、バッテリレベル及び受信信号強度インジケータ（Ｒｅｃｅｉｖｅｄ  Ｓｉｇｎａｌ  Ｓｔｒｅｎｇｔｈ  Ｉｎｄｉｃａｔｏｒ、ＲＳＳＩ）以外のグラフィック通知又はテキスト通知を無効にする。第２のランチャ１３５は、バッテリレベル、ＲＳＳＩ、及びクロックに対する状態情報をサポートする。他のグラフィック通知又はテキスト通知はサポートされない。
【手続補正１０】
【補正対象書類名】明細書
【補正対象項目名】００５５
【補正方法】変更
【補正の内容】
【００５５】
本発明は具体的な特徴及びそれらの実施形態を参照して説明されたが、以下の特許請求の範囲によって定義される本発明の主旨及び範囲から逸脱することなく、様々な変更及び置換がそれらに対して成され得ることが理解されるべきである。
［項目１］
モバイル電子デバイスを動作させる方法であって、
上記モバイル電子デバイスによって、上記モバイル電子デバイスに電力供給するバッテリの電力レベルを監視する段階と、
上記モバイル電子デバイスによって、上記バッテリの上記電力レベルがバッテリ電力レベル閾値に達したと判断する段階と、
上記判断がされると、
上記モバイル電子デバイスによって、上記モバイル電子デバイス上の１又は複数の第１のアプリケーションを無効にする段階であって、１又は複数の第２のアプリケーションは有効にされたままである、段階と、
上記モバイル電子デバイスの画面がオンのとき、上記モバイル電子デバイスによって、上記画面上の上記無効にされた１又は複数の第１のアプリケーションの各アイコンの表示を無効にする段階とを備える
方法。
［項目２］
上記判断がされると、上記モバイル電子デバイスにおいて１又は複数のハードウェア機能を無効にする段階であって、上記１又は複数の第１のアプリケーションの各々は、上記１又は複数のハードウェア機能のうちの少なくとも１つを使用する、段階を更に備える
項目１に記載の方法。
［項目３］
上記ハードウェア機能は、Ｂｌｕｅｔｏｏｔｈ（登録商標）及びＷｉ−Ｆｉを含む、
項目２に記載の方法。
［項目４］
上記１又は複数の第２のアプリケーションは、音声通信機能及びテキストメッセージング機能を備える、
項目１に記載の方法。
［項目５］
上記判断がされると、それぞれ上記音声通信機能及び上記テキストメッセージング機能に対応する、音声通信アイコン及びテキストメッセージングアイコンを上記画面上に表示する段階を更に備える
項目４に記載の方法。
［項目６］
上記１又は複数の第１のアプリケーションを無効にする段階は、音楽プレーヤアプリケーション、ビデオプレーヤアプリケーション、カメラアプリケーション、及びフォトギャラリーアプリケーションのうちの２又はそれより多くを無効にする段階を備える、
項目１に記載の方法。
［項目７］
上記１又は複数の第１のアプリケーションを無効にする段階は、音楽プレーヤアプリケーション、ビデオプレーヤアプリケーション、カメラアプリケーション、及びフォトギャラリーアプリケーションを無効にする段階を備える、
項目１に記載の方法。
［項目８］
上記各アイコンの表示を無効にする段階は、音楽プレーヤアプリケーションアイコン、ビデオプレーヤアプリケーションアイコン、カメラアプリケーションアイコン、及びフォトギャラリーアプリケーションアイコンを表示しない段階を備える、
項目７に記載の方法。
［項目９］
上記１又は複数の第１のアプリケーションを無効にする段階は、ソーシャルネットワーキングアプリケーションを無効にする段階を備える、
項目７に記載の方法。
［項目１０］
上記１又は複数の第１のアプリケーションを無効にする段階は、インターネットブラウザアプリケーションを無効にする段階を備える、
項目７に記載の方法。
［項目１１］
上記判断がされると、上記画面の１又は複数の表示特性を低下させる段階を更に備える
項目１に記載の方法。
［項目１２］
上記１又は複数の表示特性を低下させる段階は、画面輝度、画面のタイムアウト、リフレッシュレート、及び画面解像度のうちの１又は複数を下げる段階を備える、
項目１１に記載の方法。
［項目１３］
上記１又は複数の表示特性を低下させる段階は、上記モバイル電子デバイスの上記画面上のグラフィックス効果を低下させる段階を備える、
項目１１に記載の方法。
［項目１４］
上記グラフィックス効果を低下させる段階は、スクロール、回転、及びアニメーションのうちの１又は複数を無効にする段階を備える
項目１３に記載の方法。
［項目１５］
上記判断がされると、上記モバイル電子デバイス内の中央演算処理装置（ＣＰＵ）の性能を低下させる段階を更に備える
項目１に記載の方法。
［項目１６］
上記ＣＰＵの性能を低下させる段階は、上記ＣＰＵのＣＰＵ周波数をスケールダウンする段階を備える
項目１５に記載の方法。
［項目１７］
上記ＣＰＵの性能を低下させる段階は、上記ＣＰＵのコアを無効にする段階を備える
項目１５に記載の方法。
［項目１８］
上記判断がされると、上記モバイル電子デバイス内のグラフィックス処理装置（ＧＰＵ）の性能を低下させる段階を更に備える
項目１に記載の方法。
［項目１９］
上記ＧＰＵの性能を低下させる段階は、上記ＧＰＵをパワーダウンさせる段階を備える
項目１８に記載の方法。
［項目２０］
上記ＧＰＵの性能を低下させる段階は、上記ＧＰＵのＧＰＵ周波数を下げる段階を備える
項目１８に記載の方法。
［項目２１］
上記判断がされると、上記モバイル電子デバイス内の無線モデムの無線モードを下げる段階を更に備える
項目１に記載の方法。
［項目２２］
上記判断がされると、上記画面上の通知を無効にする段階であって、バッテリレベル通知、受信信号強度指標通知、及びクロック通知は上記画面上において有効にされたままである、段階を更に備える
項目１に記載の方法。
［項目２３］
上記判断がされると、外部ストレージ、追加のスピーカ、及び外部発光ダイオード（ＬＥＤ）のうちの１又は複数を無効にする段階を更に備える
項目１に記載の方法。
［項目２４］
上記バッテリ電力レベル閾値は、上記モバイル電子デバイスのユーザによって設定される、
項目１に記載の方法。
［項目２５］
上記バッテリ電力レベル閾値は、上記モバイル電子デバイスの製造者によって設定される、
項目１に記載の方法。
［項目２６］
上記バッテリ電力レベル閾値は、上記バッテリの全電力レベルの２０％に設定される
項目１に記載の方法。
［項目２７］
上記判断の後、
上記バッテリの第２の電力レベルが上記バッテリ電力レベル閾値を超えていることを検出する段階と、
上記モバイル電子デバイスの通常動作モードを有効にし、それによりフルユーザエクスペリエンスを提供する段階とを更に備える
項目１に記載の方法。
［項目２８］
上記判断がされると、
上記モバイル電子デバイス上で実行中の第１のランチャを終了する段階と、
上記モバイル電子デバイス上で第２のランチャをアクティブ化する段階とを更に備え、
上記第１のランチャは、フルユーザエクスペリエンスのアプリケーションの各々を開始すべく、上記画面上にフルユーザエクスペリエンスのアイコンを提示し、
上記第２のランチャは、低減したユーザエクスペリエンスのアプリケーションの各々を開始すべく、上記画面上に低減したユーザエクスペリエンスのアイコンを提示する、
項目１に記載の方法。
［項目２９］
上記モバイル電子デバイスは、スマートフォン又はタブレットデバイスである、
項目１に記載の方法。
［項目３０］
モバイル電子デバイスを動作させる方法であって、
上記モバイル電子デバイスによって、上記モバイル電子デバイスに電力供給するバッテリの電力レベルを監視する段階と、
上記モバイル電子デバイスによって、上記バッテリの上記電力レベルがバッテリ電力レベル閾値に達したと判断する段階と、
上記モバイル電子デバイスによって、上記判断に従って省電力モードに入る段階とを備え、上記省電力モードに入る段階は、
上記モバイル電子デバイスによって、上記モバイル電子デバイス上の１又は複数のアプリケーションを無効にする段階であって、音声通信機能及びテキストメッセージング機能は有効にされたままである、段階と、
上記モバイル電子デバイスによって、上記モバイル電子デバイスの画面上に、上記無効にされた１又は複数のアプリケーションの各アプリケーションアイコンを表示せず、上記音声通信機能に対応する音声通信アイコンと、上記テキストメッセージング機能に対応するテキストメッセージングアイコンとを表示する段階と、
上記モバイル電子デバイスによって、上記画面の１又は複数の表示特性を低下させる段階とを備える、
方法。
［項目３１］
上記省電力モードに入る段階は、上記モバイル電子デバイス内の１又は複数のハードウェア機能を無効にする段階であって、上記１又は複数のアプリケーションの各々は、上記１又は複数のハードウェア機能のうちの少なくとも１つを使用する、段階を更に備える、
項目３０に記載の方法。
［項目３２］
上記ハードウェア機能は、Ｂｌｕｅｔｏｏｔｈ（登録商標）及びＷｉ−Ｆｉを含む、
項目３１に記載の方法。
［項目３３］
上記１又は複数のアプリケーションを無効にする段階は、音楽プレーヤアプリケーション、ビデオプレーヤアプリケーション、カメラアプリケーション、及びフォトギャラリーアプリケーションを無効にする段階を含み、
上記無効にされた１又は複数のアプリケーションの上記各アプリケーションアイコンを表示しないことは、上記画面上に、音楽プレーヤアプリケーションアイコン、ビデオプレーヤアプリケーションアイコン、カメラアプリケーションアイコン、及びフォトギャラリーアプリケーションアイコンを表示しないことを含む、
項目３０に記載の方法。
［項目３４］
上記１又は複数の表示特性を低下させる段階は、
上記モバイル電子デバイスの上記画面上のグラフィックス効果を低下させる段階と、
画面のタイムアウトを短くする段階とを含む、
項目３０に記載の方法。
［項目３５］
上記１又は複数の表示特性を低下させる段階は、上記画面の輝度を下げる段階を含む、
項目３４に記載の方法。
［項目３６］
上記省電力モードに入る段階は、
Ｂｌｕｅｔｏｏｔｈ（登録商標）及びＷｉ−Ｆｉを無効にする段階と、
上記画面上の複数の通知を無効にする段階であって、バッテリレベル通知、受信信号強度指標通知、及びクロック通知は上記画面上で有効にされたままである、段階とを更に備える
項目３０に記載の方法。
［項目３７］
上記省電力モードに入る段階は、
中央演算処理装置（ＣＰＵ）のコアを無効にする段階と、
上記ＣＰＵのＣＰＵ周波数をスケールダウンする段階とを更に備える、
項目３０に記載の方法。
［項目３８］
上記省電力モードに入る段階は、上記モバイル電子デバイスのグラフィックス処理装置（ＧＰＵ）の性能を低下させる段階を更に備える、
項目３０に記載の方法。
［項目３９］
上記ＧＰＵの性能を低下させる段階は、上記ＧＰＵをパワーダウンさせる段階を含む、
項目３８に記載の方法。
［項目４０］
上記ＧＰＵの性能を低下させる段階は、上記ＧＰＵのＧＰＵ周波数を下げる段階を含む、
項目３８に記載の方法。
［項目４１］
上記省電力モードに入る段階は、上記モバイル電子デバイス内の無線モデムの無線モードを下げる段階を更に備える、
項目３０に記載の方法。
［項目４２］
上記バッテリ電力レベル閾値は、上記モバイル電子デバイスのユーザによって設定される
項目３０に記載の方法。
［項目４３］
上記バッテリ電力レベル閾値は、上記モバイル電子デバイスの製造者によって設定される、
項目３０に記載の方法。
［項目４４］
上記バッテリ電力レベル閾値は、上記バッテリの全電力レベルの２０％に設定される、
項目３０に記載の方法。
［項目４５］
モバイル電子デバイスであって、
画面と、
プロセッサと、
上記プロセッサによる実行のためのプログラミングを格納する非一時的コンピュータ可読記憶媒体とを備え、
上記プログラミングは、
上記モバイル電子デバイスに電力供給するバッテリの電力レベルを監視し、
上記バッテリの上記電力レベルがバッテリ電力レベル閾値に達したと判断し、
上記バッテリの上記電力レベルがバッテリ電力レベル閾値に達したという判断に従って、省電力モードに入るための命令を含み、
上記省電力モードに入るための上記命令は、
音声通信機能及びテキストメッセージング機能は有効にされたまま、上記モバイル電子デバイス上の１又は複数のアプリケーションを無効にし、
上記モバイル電子デバイスの上記画面上に、上記無効にされた１又は複数のアプリケーションの各アプリケーションアイコンを表示せず、上記音声通信機能に対応する音声通信アイコンと、上記テキストメッセージング機能に対応するテキストメッセージングアイコンとを表示し、
上記画面の１又は複数の表示特性を低下させる命令を有する、
モバイル電子デバイス。
［項目４６］
モバイル電子デバイスであって、
画面と、
非一時的コンピュータ可読メモリと、
上記メモリに連結されたプロセッサとを備え、上記プロセッサは、
上記モバイル電子デバイスに電力供給するバッテリの電力レベルを監視し、
上記バッテリの上記電力レベルがバッテリ電力レベル閾値に達したと判断し、
上記バッテリの上記電力レベルが上記バッテリ電力レベル閾値に達したという判断に従って、省電力モードに入るよう構成され、
上記省電力モードに入るよう構成されたプロセッサは、
音声通信機能及びテキストメッセージング機能は有効にされたまま、上記モバイル電子デバイス上の１又は複数のアプリケーションを無効にし、
上記モバイル電子デバイスの上記画面上に、上記無効にされた１又は複数のアプリケーションの各アプリケーションアイコンを表示せず、上記音声通信機能に対応する音声通信アイコンと、上記テキストメッセージング機能に対応するテキストメッセージングアイコンとを表示し、
上記画面の１又は複数の表示特性を低下させるよう構成された上記プロセッサを含む、
モバイル電子デバイス。
［項目４７］
モバイル電子デバイスを動作させる方法であって、上記方法は、
上記モバイル電子デバイスによって、省電力モードに入るための指標を受信する段階と、
上記モバイル電子デバイスによって、上記受信する段階に従って上記省電力モードに入る段階とを備え、上記省電力モードに入る段階は、
上記モバイル電子デバイスによって、上記モバイル電子デバイス上の１又は複数のアプリケーションを無効にする段階であって、音声通信機能及びテキストメッセージング機能は有効にされたままである、段階と、
上記モバイル電子デバイスによって、上記モバイル電子デバイスの画面上に、上記無効にされた１又は複数のアプリケーションの各アプリケーションアイコンを表示せず、上記音声通信機能に対応する音声通信アイコンと、上記テキストメッセージング機能に対応するテキストメッセージングアイコンとを表示する段階と、
上記モバイル電子デバイスによって、上記画面の１又は複数の表示特性を低下させる段階とを備える、
方法。
［項目４８］
上記１又は複数の表示特性を低下させる段階は、
画面輝度を下げる段階と、
画面のリフレッシュレートを下げる段階と、
アニメーション効果、スクロール効果、及び回転効果を低下させる段階とを含み、
省電力モードに入る段階は、
上記モバイル電子デバイス内の中央演算処理装置（ＣＰＵ）のコアを無効にする段階と、
上記ＣＰＵのＣＰＵ周波数をスケールダウンする段階と、
上記モバイル電子デバイス内の１又は複数のハードウェア機能を無効にする段階であって、上記１又は複数のアプリケーションの各々は、上記１又は複数のハードウェア機能のうちの少なくとも１つを使用する、段階とを更に備える、
項目４７に記載の方法。
［項目４９］
上記ハードウェア機能は、Ｂｌｕｅｔｏｏｔｈ（登録商標）及びＷｉ−Ｆｉを含む、
項目４８に記載の方法。
【外国語明細書】
2018201241000001.pdf